(57)【要約】【課題】再現像結果を確認するための十分な表示スペースを確保しつつ、再現像設定を容易に行う。【解決手段】撮像装置１１０は、撮影時に設定された第１及び第２の撮影時設定パラメータ（ホワイバランス及びホワイトバランスシフト）に応じて撮影を行った結果得られた画像データを再現像して表示する。再現像の際、マイクロコンピュータ１０３は画像データを再現像する際に設定される第１の再現像時設定パラメータと第１の撮影時設定パラメータとが等しいか否かを判定する。第１の再現像時設定パラメータが第１の撮影時設定パラメータに等しいと、マイクロコンピュータは第２の撮影時設定パラメータを有効とし第２の撮影時設定パラメータを第２の再現像時設定パラメータとして、第１及び第２の再現像時設定パラメータの設定を行う。【選択図】図１
2012028984.tif 000002
【特許請求の範囲】
【請求項１】
撮影時に設定された第１及び第２の撮影時設定パラメータに応じて撮影を行った結果得られた画像データを再現像して表示する撮像装置において、
前記画像データを再現像する際に設定される第１の再現像時設定パラメータと前記第１の撮影時設定パラメータとが等しいか否かを判定する判定処理を行う判定手段と、
前記判定手段によって前記第１の再現像時設定パラメータが前記第１の撮影時設定パラメータと等しいと判定されると、前記第２の撮影時設定パラメータを有効とし前記第２の撮影時設定パラメータを第２の再現像時設定パラメータとして、前記第１及び前記第２の再現像時設定パラメータの設定を行うパラメータ設定手段とを有することを特徴とする撮像装置。
【請求項２】
前記第１の再現像時設定パラメータはユーザによって設定され、
前記判定手段によって前記第１の再現像時設定パラメータが前記第１の撮影時設定パラメータと等しくないと判定されると、前記パラメータ設定手段は、前記第２の再現像時設定パラメータを無効とすることを特徴とする請求項１記載の撮像装置。
【請求項３】
前記第１の再現像時設定パラメータはユーザによって設定され、
前記判定手段によって前記第１の再現像時設定パラメータが前記第１の撮影時設定パラメータと等しくないと判定されると、前記パラメータ設定手段は、前記第２の再現像時設定パラメータを予め定められた固定値を有するパラメータとすることを特徴とする請求項１記載の撮像装置。
【請求項４】
前記第１の撮影時設定パラメータは、撮影時におけるホワイトバランスを規定するためのパラメータであり、前記第２の撮影時設定パラメータは、撮影時において前記ホワイトバランスに対する色味を調整するためのパラメータであり、
前記第１の再現像時設定パラメータは、再現像時におけるホワイトバランスを規定するためのパラメータであり、前記第２の再現像時設定パラメータは、再現像時において前記ホワイトバランスに対する色味を調整するためのパラメータであることを特徴とする請求項２又は３記載の撮像装置。
【請求項５】
前記画像データの再現像処理が選択されると、前記第１及び前記第２の撮影時設定パラメータに応じて前記画像データを再現像画像として再現像処理して再現像画面を表示する再現像手段と、
前記再現像画面に再現像の際に設定可能な前記第１の再現像時設定パラメータをアイコンで表示するユーザインタフェース手段とを有することを特徴とする請求項４記載の撮像装置。
【請求項６】
前記再現像手段は、前記パラメータ設定手段によって少なくとも前記第１の再現像時設定パラメータの設定が行われると、前記第１の再現像時設定パラメータに応じて前記画像データを再現像して前記再現像画面を表示することを特徴とする請求項５記載の撮像装置。
【請求項７】
前記ユーザインタフェース手段は、さらに前記再現像画像をメモリに保存するか否かを選択するための保存アイコンを前記再現像画面に表示しており、
前記保存アイコンが選択されないと、前記判定手段は前記判定処理を行うことを特徴とする請求項５又は６記載の撮像装置。
【請求項８】
撮影時に設定された第１及び第２の撮影時設定パラメータに応じて撮影を行った結果得られた画像データを再現像して表示する撮像装置を制御するための制御方法において、
前記画像データを再現像する際に設定される第１の再現像時設定パラメータと前記第１の撮影時設定パラメータとが等しいか否かを判定する判定処理を行う判定ステップと、
前記判定ステップによって前記第１の再現像時設定パラメータが前記第１の撮影時設定パラメータと等しいと判定されると、前記第２の撮影時設定パラメータを有効とし前記第２の撮影時設定パラメータを第２の再現像時設定パラメータとして、前記第１及び前記第２の再現像時設定パラメータの設定を行うパラメータ設定ステップとを有することを特徴とする制御方法。
【請求項９】
撮影時に設定された第１及び第２の撮影時設定パラメータに応じて撮影を行った結果得られた画像データを再現像して表示する撮像装置を制御するための制御プログラムにおいて、
前記撮像装置が備えるコンピュータに、
前記画像データを再現像する際に設定される第１の再現像時設定パラメータと前記第１の撮影時設定パラメータとが等しいか否かを判定する判定処理を行う判定ステップと、
前記判定ステップによって前記第１の再現像時設定パラメータが前記第１の撮影時設定パラメータと等しいと判定されると、前記第２の撮影時設定パラメータを有効とし前記第２の撮影時設定パラメータを第２の再現像時設定パラメータとして、前記第１及び前記第２の再現像時設定パラメータの設定を行うパラメータ設定ステップとを実行させることを特徴とする制御プログラム。
【請求項１０】
請求項９に記載の制御プログラムが記録されたコンピュータに読み取り可能な記録媒体。
【発明の詳細な説明】
【技術分野】
【０００１】
本発明は、撮像装置、その制御方法、及び制御プログラムに関し、特に、撮像装置において画像データを再現像する際の制御に関する。
【背景技術】
【０００２】
一般に、デジタルカメラ等の撮像装置において、撮影済みの画像データに対して再現像に関する各種パラメータを設定して再現像を行う機能を有するものが知られている。ここで、再現像とは、再現像の際に設定されたパラメータ（以下、再現像時設定パラメータと呼ぶ）に応じて新たな画像を生成することをいう。
【０００３】
上記の再現像時設定パラメータとして、例えば、ホワイトバランス及びコントラストに係るパラメータがある。また、再現像時設定パラメータとして、例えば、ノイズの大きな画像に対してノイズを低減する処理を加えるためのパラメータがある。さらには、画像のボケ具合を用いたソフトフォーカス等のフィルター系の処理を行うためのパラメータもある。
【０００４】
例えば、撮像装置において、予め撮影された静止画像を表示し、当該静止画像上にホワイトバランスシフトを設定するためのホワイトバランスシフト設定画面をオンスクリーン表示するようにしたものがある。そして、この撮像装置では、ホワイトバランスシフト設定画面で設定されたホワイトバランスシフトに応じて画像データを再現像して再現像結果を表示する。さらに、ユーザは表示された再現像結果（つまり、再現像画像）を新たな画像データとして保存することができる（特許文献１参照）。
【先行技術文献】
【特許文献】
【０００５】
【特許文献１】特開２００８−７２３０４号公報
【発明の概要】
【発明が解決しようとする課題】
【０００６】
ところが、上記の特許文献１に記載された手法においては、再現像設定画面の１つであるホワイトバランスシフト設定画面がオンスクリーン表示される関係上、ユーザが再現像結果を確認する表示画面スペースが狭くなってしまうという課題がある。
【０００７】
一方、再現像結果の表示スペースを広くしようとすると、ホワイトバランスシフト設定画面をオンスクリーン表示せずに、別画面とする必要がある。しかしながら、ホワイトバランスシフト設定画面を別画面として表示する場合には、ユーザは不可避的に画面切り替え操作を行わなければならず、使い勝手が悪くなってしまうという課題がある。
【０００８】
従って、本発明の目的は、再現像結果を確認するための十分な表示スペースを確保しつつ、再現像設定を容易に行うことのできる撮像装置、その制御方法、及び制御プログラム、並びに記録媒体を提供することにある。
【課題を解決するための手段】
【０００９】
上記目的を達成するために、本発明による撮像装置は、撮影時に設定された第１及び第２の撮影時設定パラメータに応じて撮影を行った結果得られた画像データを再現像して表示する撮像装置において、前記画像データを再現像する際に設定される第１の再現像時設定パラメータと前記第１の撮影時設定パラメータとが等しいか否かを判定する判定処理を行う判定手段と、前記判定手段によって前記第１の再現像時設定パラメータが前記第１の撮影時設定パラメータと等しいと判定されると、前記第２の撮影時設定パラメータを有効とし前記第２の撮影時設定パラメータを第２の再現像時設定パラメータとして、前記第１及び前記第２の再現像時設定パラメータの設定を行うパラメータ設定手段とを有することを特徴とする。
【００１０】
本発明による制御方法は、撮影時に設定された第１及び第２の撮影時設定パラメータに応じて撮影を行った結果得られた画像データを再現像して表示する撮像装置を制御するための制御方法において、前記画像データを再現像する際に設定される第１の再現像時設定パラメータと前記第１の撮影時設定パラメータとが等しいか否かを判定する判定処理を行う判定ステップと、前記判定ステップによって前記第１の再現像時設定パラメータが前記第１の撮影時設定パラメータと等しいと判定されると、前記第２の撮影時設定パラメータを有効とし前記第２の撮影時設定パラメータを第２の再現像時設定パラメータとして、前記第１及び前記第２の再現像時設定パラメータの設定を行うパラメータ設定ステップとを有することを特徴とする。
【００１１】
本発明による制御プログラムは、撮影時に設定された第１及び第２の撮影時設定パラメータに応じて撮影を行った結果得られた画像データを再現像して表示する撮像装置を制御するための制御プログラムにおいて、前記撮像装置が備えるコンピュータに、前記画像データを再現像する際に設定される第１の再現像時設定パラメータと前記第１の撮影時設定パラメータとが等しいか否かを判定する判定処理を行う判定ステップと、前記判定ステップによって前記第１の再現像時設定パラメータが前記第１の撮影時設定パラメータと等しいと判定されると、前記第２の撮影時設定パラメータを有効とし前記第２の撮影時設定パラメータを第２の再現像時設定パラメータとして、前記第１及び前記第２の再現像時設定パラメータの設定を行うパラメータ設定ステップとを実行させることを特徴とする。
【００１２】
本発明による記録媒体は、上記の制御プログラムが記録されたコンピュータに読み取り可能な記録媒体である。
【発明の効果】
【００１３】
本発明によれば、第１の再現像時設定パラメータ（例えば、再現像時ホワイトバランス）が第１の撮影時設定パラメータ（例えば、撮影時ホワイトバランス）に等しいと、第２の撮影時設定パラメータ（例えば、撮影時ホワイトバランスシフト）を有効とし第２の撮影時設定パラメータを第２の再現像時設定パラメータとして、第１及び第２の再現像時設定パラメータの設定を行う。従って、再現像現像結果である再現像画像を確認するスペースが確保できるばかりでなく、再現像時ホワイトバランスシフトである第２の再現像時設定パラメータを設定するという煩雑さを防止して、ユーザにとって再現像時における設定が極めてわかりやすいという効果がある。
【図面の簡単な説明】
【００１４】
【図１】本発明の実施形態による撮像装置の一例についてその構成を示すブロック図である。
【図２】図１に示す表示部に表示される撮影時ホワイトバランスシフトの設定画面の一例を示す図である。
【図３】図１に示す撮像装置において再現像処理を行う際の動作を説明するためのフローチャートである。
【図４】再現像の際に図１に示す表示部１０８に表示される画面を説明するための図であり、（ａ）は再現像結果（再現像処理画像）の一例を示す図、（ｂ）は再現像処理画像について再現像時ホワイトバランスを設定する際に表示される画面の一例を示す図、（ｃ）は再現像時ホワイトバランスが撮影時ホワイトバランスとされた際の再現像結果の一例を示す図、（ｄ）は再現像時ホワイトバランスを「オート」から「電球」に変更した際の再現像結果の一例を示す図である。
【発明を実施するための形態】
【００１５】
以下、本発明の実施の形態による撮像装置の一例について図面を参照して説明する。
【００１６】
図１は、本発明の実施形態による撮像装置１１０の一例についてその構成を示すブロック図である。
【００１７】
図１を参照して、図示の撮像装置１１０は、例えば、デジタルカメラであり、マイクロコンピュータ１０３を有している。そして、マイクロコンピュータ１０３は、撮像装置１１０全体の制御を司る。撮像装置１１０は撮影レンズ１００を有しており、撮像レンズ１００によって撮像素子１０１に光学像が結像される。
【００１８】
撮像素子１０１として、例えば、ＣＣＤ又はＣＭＯＳセンサが用いられ、撮像素子１０１は、光学像に応じた電気信号（アナログ出力信号）を出力する。Ａ／Ｄ変換器１０２は、撮像素子１０１から出力されたアナログ出力信号をデジタル信号（画像データ）に変換して、マイクロコンピュータ１０３に与える。マイクロコンピュータ１０３は、この画像データを一旦揮発性メモリ１０４に記録する。なお、マイクロコンピュータ１０３で実行される制御プログラムは、例えば、不揮発性メモリ１０５には格納されている。
【００１９】
撮像装置１１０は画像処理部１０６を有しており、この画像処理部１０６はマイクロコンピュータ１０３の制御下で、例えば、外部メモリ１０７に記録された画像ファイルを読み込んで、画像データの解析、画像データの解凍、及びデータ形式の変換処理等を行う。また、画像処理部１０６は撮影された画像データ（例えば、静止画像データ）に対して画像処理を行う。
【００２０】
上記の外部メモリ１０７として、例えば、コンパクトフラッシュ(登録商標)（ＣＦ）、スマートメディア、又はハードディスクドライブが用いられる。そして、画像処理部１０６によって処理された画像データは、マイクロコンピュータ１０３においてファイル形式に変換されて、外部メモリ１０７に画像ファイルとして記録される。
【００２１】
さらに、マイクロコンピュータ１０３は、外部メモリ１０７から画像ファイルを読み込んで、一旦揮発性メモリ１０４に格納する。そして、マイクロコンピュータ１０３は画像処理部１０６を制御して画像ファイルを解凍して、データ形式の変換を行い、新たな画像データとする所謂再現像処理を行う。
【００２２】
その後、マイクロコンピュータ１０３は再現像処理後の画像データについて画像ファイルの再構築って、新たな画像ファイルとして外部メモリ１０７に書き込む。このように、マイクロコンピュータ１０３は再現像処理機能を有していることになる。
【００２３】
マイクロコンピュータ１０３には、液晶モニター等の表示部１０８が接続されており、マイクロコンピュータ１０３は、前述の外部メモリ１０７に書き込んだ画像ファイルについてその画像を表示部１０８に表示する。
【００２４】
さらに、マイクロコンピュータ１０３は画像処理部１０６で行われた画像処理結果を表示部１０８に表示する。また、マイクロコンピュータ１０３は、後述するように、再現像の設定を行う際、再現像設定画面（例えば、ホワイトバランス設定画面）を表示部１０８に表示する。
【００２５】
以下の説明では、再現像の設定としてホワイトバランス及びホワイトバランスシフトの設定を行う場合について説明することにする。
【００２６】
マイクロコンピュータ１０３には、操作部１０９が接続されており、ユーザは操作部１０９を用いてマイクロコンピュータ１０３に対して各種設定及び指令等を入力する。なお、図示はしないが、操作部１０９にはスイッチ及びボタン等が備えられている。
【００２７】
図示の撮像装置１１０においては、ホワイトバランスを設定する際、第１〜第４のホワイトバランスモードを選択することができる。ここでは、第１のホワイトバランスモードは「オート」、つまり、自動でホワイトバランス補正を行うことを表している。第２〜第４のホワイトバランスモードはそれぞれ「晴天」下におけるホワイトバランス補正、「曇天」下おけるホワイトバランス補正、及び「電球」下におけるホワイトバランス補正を表している。そして、第１〜第４のホワイトバランスモードに応じたパラメータが、例えば、不揮発性メモリ１０５に格納されている。
【００２８】
なお、ここでは、撮影の際に設定するホワイトバランスを撮影時ホワイトバランス（第１の撮影時設定パラメータ）と呼び、再現像の際に設定するホワイトバランスを再現像時ホワイトバランス（第１の再現像時設定パラメータ）と呼ぶ。
【００２９】
さらに、ユーザはホワイトバランスに対して、Ｇ（グリーン）とＭ（マゼンタ）の間の色味の調整、Ｂ（ブルー）とＡ（アンバー）の間の色味の調整を行うホワイトバランスシフトの設定を行うことができる。この際には、表示部１０８に表示された画像を見つつ、ユーザは操作部１０９を操作して、マイクロコンピュータ１０３に対してホワイトバランスシフトの設定を行う。
【００３０】
ここでは、撮影の際に設定するホワイトバランスシフトを撮影時ホワイトバランスシフト（第２の撮影時設定パラメータ）と呼ぶ。また、再現像の際に設定するホワイトバランスシフトを再現像時ホワイトバランスシフト（第２の再現像時設定パラメータ）と呼ぶ。
【００３１】
図２は、図１に示す表示部１０８に表示される撮影時ホワイトバランスシフトの設定画面の一例を示す図である。
【００３２】
図２において、横軸はＢ（ブルー）とＡ（アンバー）とを規定する軸であり、横軸上右方向にシフトする程、色味としてＡ（アンバー）が強くなる。また、縦軸はＧ（グリーン）とＭ（マゼンタ）とを規定する軸であり、縦軸上、上方向にシフトする程、色味としてＧ（グリーン）が強くなる。
【００３３】
図示の例では、現在撮影時ホワイトバランスシフトとして、撮影時ホワイトバランスシフトがＡ（マゼンタ）側に”３”、Ｇ（グリーン）側に”３”と設定されている状態が、（Ｇ３，Ａ３）として符号２０１で示すように、撮影時ホワイトバランスシフト設定画面２００に表示されている。
【００３４】
ユーザは、図２に示す設定画面によって操作部１０９を操作して撮影時ホワイトバランスシフトを設定する。そして、設定された撮影時ホワイトバランスシフトは、マイクロコンピュータ１０３によって、例えば、不揮発メモリ１０５に記憶される。
【００３５】
いま、撮像装置１１０においては、予め撮影時ホワイトバランスシフトがＭ（マゼンタ）側に５（以下、Ｍ５という）、Ｂ（ブルー）側に５（以下、Ｂ５という）と設定されているものとする。ここで、ユーザは撮影の際に撮影時ホワイトバランスを「オート」としたものとする。さらに、ユーザは撮影時ホワイトバランスシフトをＧ（グリーン）側に３（以下、Ｇ３という）、Ａ（アンバー）側に３（以下、Ａ３という）に設定したものとする。
【００３６】
上記の条件で、撮像装置１１０を用いて撮影した結果得られた画像データにつて再現像を行う場合の再現像時ホワイトバランス及び再現像時ホワイトバランスシフトの設定について説明する。
【００３７】
図３は、図１に示す撮像装置１１０において再現像処理を行う際の動作を説明するためのフローチャートである。
【００３８】
図１及び図３を参照して、いま、撮像装置１１０においてメニュー又は再生表示画面（図示せず）から再現像機能が選択されると、マイクロコンピュータ１０３は再現像処理を開始する。そして、マイクロコンピュータ１０３は、外部メモリ１０７に保存されている画像ファイル中の再現像対象画像を選択するための再現像対象画像選択画面（図示せず）を表示部１０８に表示する（ステップＳ３００）。
【００３９】
ユーザは再現像対象選択画面を見て、再現像対象とする画像データを選択する。なお、再現像対象画像データの選択を行う際には、例えば、１枚再生又は複数枚再生等の表示手法が用いられる。ここでは、再現像対象画像データが１枚である場合について説明するが、再現像対象画像データは複数枚分であってもよい。
【００４０】
再現像対象画像データがユーザによって選択されると、マイクロコンピュータ１０３は、当該選択された再現像対象画像データを外部メモリ１０７から読み出して、一旦揮発性メモリ１０４に保存する。そして、マイクロコンピュータ４０３は、画像ファイルから当該再現像対象画像データに関する画像情報を取得する（ステップＳ３０１）。つまり、マイクロコンピュータ１０３は画像ファイルから必要なパラメータ情報を取得する。
【００４１】
このパラメータ情報として、例えば、撮影時ホワイトバランス及び撮影時ホワイトバランスシフト等のパラメータがあり、さらに、画像サイズ及び画像フォーマット等の再現像に必要なパラメータがある。
【００４２】
なお、再現像対象である撮影済みの画像データに対するパラメータとして、コントラスト及びソフトフォーカス等のフィルタ系の処理に用いるパラメータもあるが、図示の例ではホワイトバランス及びホワイトバランスシフトに関するパラメータについてのみ扱うことにする。
【００４３】
前述のように、ここでは、再現像対象画像において、撮影時ホワイトバランスは「オート」であり、撮影時ホワイトバランスシフトは「Ｇ３、Ａ３」である。
【００４４】
従って、マイクロコンピュータ１０３はこれら撮影時ホワイトバランス及び撮影時ホワイトバランスシフトに応じて画像処理部１０６を制御して再現像処理（デコード）を行って、再現像処理画像を得る（ステップＳ３０２）。そして、マイクロコンピュータ１０３は再現像処理画像を再現像結果として表示部１０８に表示する（ステップＳ３０３）。
【００４５】
図４は、再現像の際に図１に示す表示部１０８に表示される画面を説明するための図である。そして、図４（ａ）は再現像結果（再現像処理画像）の一例を示す図であり、図４（ｂ）は再現像処理画像について再現像時ホワイトバランスを設定する際に表示される画面の一例を示す図である。また、図４（ｃ）は再現像時ホワイトバランスが撮影時ホワイトバランスとされた際の再現像結果の一例を示す図であり、図４（ｄ）は再現像時ホワイトバランスを「オート」から「電球」に変更した際の再現像結果の一例を示す図である。
【００４６】
前述したように、撮影時ホワイトバランス及び撮影時ホワイトバランスシフトに応じて再現像された画像は表示部１０８に画面４００（再現像画面）として表示される（図４（ａ）参照）。
【００４７】
続いて、マイクロコンピュータ１０３は、再現像処理画像についてホワイトバランスの設定を選択させるため、設定可能な再現像時ホワイトバランスを、例えば、アイコンで表示部１０８に表示する（ステップＳ３０４）。ここでは、前述のように、再現像時ホワイトバランスとして「オート」、「晴天」、「曇天」、及び「電球」の４つのホワイトバランスモードがある。
【００４８】
図４（ｂ）に示すように、マイクロコンピュータ１０３は再現像処理画像が表示された画面４００を画面４０１（再現像画面）に切り替える。画面４０１には、前述の再現像処理画像が表示されており、再現像処理画像の上側には、アイコン４０２〜４０６が横方向一列に表示される。この際、図示のように、再現像処理画像の被写体がアイコン４０２〜４０６で隠されることはない。
【００４９】
アイコン４０６は撮影時ホワイトバランスを再現像時ホワイトバランスとして用いるためのアイコンである。また、アイコン４０２は再現像時ホワイトバランスとして「オート」を用いるためのアイコンである。アイコン４０３は再現像時ホワイトバランスとして「晴天」を用いるためのアイコンである。アイコン４０４は再現像時ホワイトバランスとして「曇天」を用いるためのアイコンである。そして、アイコン４０５は再現像時ホワイトバランスとして「電球」を用いるためのアイコンである。
【００５０】
なお、図４（ｂ）に示すように、画面４０１の右隅には保存アイコン３０７が表示されている。この保存アイコン３０７が選択されると、マイクロコンピュータ１０３は、選択された再現像時ホワイトバランス及び再現像時ホワイトバランスシフトにおいて当該画面４０１に表示された再現像処理画像を、後述するようにして外部メモリ１０７に保存する。
【００５１】
前述のように、ステップＳ３０２の処理においては、撮影時ホワイトバランス及び撮影時ホワイトバランスシフトを用いて再現像処理が行われているから、ステップＳ３０４において、マイクロコンピュータ１０３はアイコン４０６をアクティブとすることになる。
【００５２】
いま、ユーザが操作部１０９を用いて操作を行うと、マイクロコンピュータ１０３は当該ユーザ操作の確認を行う（ステップＳ３０５）。そして、マイクロコンピュータ１０３は当該操作が保存アイコン４０７の操作であるか否かについて判定する（ステップＳ３０６）。
【００５３】
保存アイコン４０７の操作であると判定すると（ステップＳ３０６において、ＹＥＳ）、マイクロコンピュータ１０３は画面４０１に表示された再現像処理画像について、画像処理部１０６を制御して新規の画像ファイルの生成を行う（ステップＳ３０７）。
【００５４】
この際、マイクロコンピュータ１０３は撮影時ホワイトバランス及び撮影時ホワイトバランスシフトをそれぞれ再現像時ホワイトバランス及び再現像時ホワイトバランスシフトとする。そして、マイクロコンピュータ１０３は当該画像ファイルを外部メモリ１０７に保存して、再現像結果を表示部１０８に表示する（ステップＳ３０８）。その後、マイクロコンピュータ１０３は再現像処理を終了する。
【００５５】
上述のようにして、新規の画像ファイルを生成して保存する際には、再現像対象画像に関する情報をそのまま引き継いでもよく、さらには、ファイル生成時に新規に書きこむ項目を決定するようにしてもよい。
【００５６】
例えば、レンズ情報等のパラメータは再現像対象画像に関する情報をそのまま引き継ぐが、ファイル生成時間は再現像処理を行った時間を書き込むようにしてもよい。
【００５７】
ファームウェアバージョン等については再現像処理を行った撮像装置に関するものを上書きするようにする。また、再現像処理を行って得られた画像ファイルであることが分かるような情報を記載するようにしてもよい。
【００５８】
このように、再現像処理による画像ファイルであることを示す情報を付加するようにすれば、撮像装置で当該画像ファイルを再生した際に通常撮影で得られた画像ファイルとの相違を明確に表示することが可能となる。
【００５９】
一方、保存アイコン４０７の操作でないと判定すると（ステップＳ３０６において、ＮＯ）、マイクロコンピュータ１０３は、再現像時ホワイトバランスの設定が撮影時ホワイトバランスの設定となっているか否かについて判定する判定処理を行う（ステップＳ３０９）。
【００６０】
再現像時ホワイトバランスの設定が撮影時ホワイトバランスの設定となっていないと（ステップＳ３０９において、ＮＯ）、マイクロコンピュータ１０３は指定された（つまり、ユーザによって選択された）再現像時ホワイトバランスを設定する（ステップＳ３１０）。
【００６１】
例えば、ユーザがアイコン４０５を指定して再現像時ホワイトバランスを「撮影時ホワイトバランス」とは異なる「電球」に変更すると、マイクロコンピュータ１０３は「電球」に対応した再現像ホワイトバランス（つまり、第２の再現像時パラメータ）を設定することになる。この場合、マイクロコンピュータ１０３は再現像時ホワイトバランスシフトを無効（シフトはしない）と設定する（ステップＳ３１１）。つまり、マイクロコンピュータ１０３は、再現像時ホワイトバランスシフトは行わないと決定する。
【００６２】
なお、上述の例では、再現像時ホワイトバランスを無効（シフトはしない）としたが、再現像時ホワイトバランスに対応して予め規定された固定値を再現像時ホワイトバランスシフトとするようにしてもよい。その後、マイクロコンピュータ１０３はステップＳ３０２に戻って処理を続行する。
【００６３】
ところで、ステップＳ３１１においては、マイクロコンピュータ１０３は再現像時ホワイトバランスシフトを無効としている。前述のように、図示の例では、撮像装置１１０には撮影時ホワイトバランスシフトが予め「Ｍ５、Ｂ５」に設定されている。ところが、再現像したい画像データでは撮影時ホワイトバランスシフトは「Ｇ３、Ａ３」となっている。
【００６４】
このため、ユーザにとっては、再現像時に反映されるホワイトバランスシフトの値がいくつであるか分かりにくい。よって、再現像時ホワイトバランスが撮影時ホワイトバランス以外である場合には、再現像時ホワイトバランスシフトを無効として、ユーザに混乱を与えないようにする。
【００６５】
さらに、図２に示すように、撮影時ホワイトバランスシフトを再現像画像とともに表示部１０８に表示すると、ユーザは再現像結果（再現像画像）の確認を行うことが困難となる場合がある。
【００６６】
また、ユーザの操作に応じて再現像時ホワイトバランスシフトを表示する別画面への切り替えを行って、再現像時ホワイトバランスシフトの設定を行うとなると、ユーザにとってその操作が煩雑となってしまう。
【００６７】
再び図１及び図３を参照して、再現像時ホワイトバランスの設定が撮影時ホワイトバランスの設定となっていると（ステップＳ３０９において、ＹＥＳ）、マイクロコンピュータ１０３は撮影時ホワイトバランスに対応する撮影時パラメータを再現像パラメータとして設定する（ステップＳ３１２）。さらに、マイクロコンピュータ１０３は、再現像時ホワイトバランスシフトを有効とする。そして、マイクロコンピュータ１０３は撮影時ホワイトバランスシフトを再現像時ホワイトバランスシフトとして設定する（ステップＳ３１３）。その後、マイクロコンピュータ１０３はステップＳ３０２に戻って処理を続行する。
【００６８】
前述のように、再現像時ホワイトバランスの設定が撮影時ホワイトバランスの設定となっている場合には、再現像時ホワイトバランスシフトとして撮影時ホワイトバランスシフトが設定される。
【００６９】
この場合には、ユーザは再現像時ホワイトバランスとして撮影時ホワイトバランスを選択したのであるから、再現像時の際に撮影時ホワイトバランスをそのまま使用して再現像したいというユーザの意向を考慮するためである。
【００７０】
再現像時ホワイトバランスを撮影時ホワイトバランスとして再現像すると、例えば、図４（ｃ）に示す画面４０８（再現像画面）が表示部１０８に表示される。ここでは、再現像時ホワイトバランスとして撮影時ホワイトバランスを用いているので、再現像後におけるホワイトバランス（ＷＢ）は「オート」と表示され、ホワイトバランスシフトは「Ｇ３、Ａ３」と表示される。
【００７１】
一方、前述のように、ステップＳ３１０において再現像時ホワイトバランスとして、「電球」が選択されていると、例えば、図４（ｄ）に示す画面４０９（再現像画面）が表示部１０８に表示される。
【００７２】
ここでは、再現像時ホワイトバランスとして「電球」を用いているので、再現像後のホワイトバランス（ＷＢ）は「電球」は「電球」と表示される。また、前述のように再現像時ホワイトバランスシフトは無効とされているので、画面４０９には表示されない。
【００７３】
上述のようにして、再現像処理を行うと、再現像結果を確認するスペースを確保しつつ、ホワイトバランスシフトの設定に係る煩雑さを防止することができる。従って、ユーザにとっては分かりやすい再現像時のホワイトバランスシフトの設定を行うことができる。
【００７４】
上述の説明から明らかなように、図１に示すマイクロコンピュータ１０３が判定手段及びパラメータ設定手段として機能する。また、マイクロコンピュータ１０３及び画像処理部１０６が再現像手段として機能する。さらに、マイクロコンピュータ１０３、表示部１０８、及び操作部１０９がユーザインタフェース手段として機能することになる。
【００７５】
以上、本発明について実施の形態に基づいて説明したが、本発明は、これらの実施の形態に限定されるものではなく、この発明の要旨を逸脱しない範囲の様々な形態も本発明に含まれる。
【００７６】
例えば、上記の実施の形態の機能を制御方法として、この制御方法を、撮像装置が備えるコンピュータに実行させるようにすればよい。また、上述の実施の形態の機能を有する制御プログラムを撮像装置が備えるコンピュータに実行させるようにしてもよい。
【００７７】
この際、制御方法及び制御プログラムは、少なくとも判定ステップパラメータ設定ステップを有することになる。なお、制御プログラムは、例えば、コンピュータに読み取り可能な記録媒体に記録される。
【００７８】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【００７９】
また、撮像装置の制御は１つのハードウェアが行ってもよいし、複数のハードウェアが処理を分担することで、装置全体の制御を行ってもよい。さらに、上述した実施形態においては、本発明をデジタルカメラに適用した場合を例にして説明したが、これはこの例に限定されない。すなわち、本発明はパーソナルコンピュータやＰＤＡ、携帯電話端末や携帯型の画像ビューワ、プリンタ装置に設けられた印刷画像選択および確認のためのディスプレイ、デジタルフォトフレームなど、複数の画像を同時に表示するように制御可能な表示制御装置であれば適用可能である。
【符号の説明】
【００８０】
１１０  撮像装置
１００  撮影レンズ
１０１  撮像素子
１０２  Ａ／Ｄ変換器
１０３  マイクロコンピュータ
１０６  画像処理部
１０７  外部メモリ
１０８  表示部
１０９  操作部
【図１】
2012028984.tif 000003
【図２】
2012028984.tif 000004
【図３】
2012028984.tif 000005
【図４】
2012028984.tif 000006